(57)【特許請求の範囲】
【請求項１】
浴槽と、該浴槽内に気泡を噴出可能とする気泡噴出装置と、前記浴槽内部，前記気泡噴出装置および／または前記浴槽中の湯の消毒をおこなうための薬剤を供給可能な薬剤供給装置と、前記浴槽に湯を供給する給湯装置と、前記浴槽内の湯の循環及び濾過をおこなう循環装置と、前記浴槽内の水位を測定する水位センサと、前記気泡噴出装置および前記薬剤供給装置を制御するとともに前記水位センサが測定した水位を基に前記給湯装置および前記循環装置を制御する制御装置と、を有する入浴装置であって、
前記気泡噴出装置が、前記浴槽底部付近に設けられ該浴槽内に気泡を噴出する噴出部と、該噴出部に対して気体を送出するバブラーと、これら噴出部とバブラーとを連結する配管回路とを具備するものとされ、
該配管回路において、前記浴槽中の湯が流通可能な位置に前記薬剤を供給可能な薬剤供給位置が設定され、該薬剤供給位置に前記薬剤供給装置が接続されて、
前記制御装置は、前記気泡噴出装置を駆動させずに前記薬剤供給装置を駆動させて前記配管回路に前記薬剤を供給して該薬剤を所定時間滞留させ前記配管回路内を消毒する制御と、前記所定時間経過後に前記薬剤供給装置を停止させるとともに前記気泡噴出装置を駆動させ前記配管回路に供給された薬剤を前記浴槽へ押出して拡散させ前記浴槽内部および／または前記浴槽内の湯を消毒する制御とを行うことを特徴とする入浴装置。
【請求項２】
浴槽と、該浴槽内の湯の循環及び濾過をおこなう循環装置と、前記浴槽内部，前記循環装置および／または前記浴槽中の湯の消毒をおこなうための薬剤を供給可能な薬剤供給装置と、湯供給源に接続されて該湯供給源より供給される湯を前記浴槽へ供給する給湯回路と、を備えた入浴装置であって、
前記循環装置は、前記浴槽内の湯を循環させる循環配管回路内に設けられて該循環配管回路内に前記浴槽内の湯を送出する水ポンプと、該水ポンプの後段に設けられて前記水ポンプから送られる前記浴槽内の湯を濾過するフィルタと、を備えており、
前記循環配管回路の前記フィルタの前段に前記薬剤を供給可能な薬剤供給位置が設定され、該薬剤供給位置に前記薬剤供給装置が接続されて、
前記循環配管回路には、前記フィルタの後段に、前記フィルタに濾過時とは逆向きに湯を流通して前記フィルタの洗浄をおこなう逆洗時に、前記給湯回路から給水給湯可能とする逆洗用給水給湯バルブが設けられているとともに、前記フィルタと前記薬剤供給位置との間に、前記逆洗時に洗浄水の排出が可能な逆洗用排出バルブが介装されていることを特徴とする入浴装置。
【請求項３】
請求項１または２記載の入浴装置を消毒する消毒システムであって、
前記気泡噴出装置または前記循環装置、および、前記薬剤供給装置を制御可能な制御装置が、
入浴者が入浴する前に前記浴槽中の湯の消毒をおこなう湯消毒機能と、
入浴者が入浴した後に前記浴槽内部，前記気泡噴出装置または前記循環装置を消毒するための浴槽消毒機能と、を有し、
前記湯消毒機能における前記薬剤供給量に比べて、前記浴槽消毒機能における前記薬剤供給量が多く設定されてなることを特徴とする消毒システム。
【発明の詳細な説明】
【０００１】
【発明の属する技術分野】
本発明は、気泡噴出装置、または、給湯回路と浴槽内の湯を清浄化するための循環装置とを備える入浴装置に関し、また、これらを消毒殺菌する消毒システムに用いて好適な技術に関する。
【０００２】
【従来の技術】
従来、入浴者を入浴させる入浴装置として、浴槽と、この浴槽に湯供給源から湯を供給する給湯回路と、浴槽内の湯の循環及び濾過を行う循環装置とを備えたものが知られている。循環装置は、浴槽内の湯を循環させる循環配管回路内に介装されて循環配管回路内に浴槽内の湯を送出する水ポンプと、水ポンプの後段に設けられて水ポンプから送られる浴槽内の湯を濾過するフィルタとを備えるものが知られている。
さらに、入浴者が載置される担架が浴槽に搬入される構造のものも知られている。
【０００３】
また、浴槽内に、気泡を発生されるための気泡噴出装置を備えるものも知られている。
このような構造の例としては、図８に示すように、浴槽底部付近の噴出部Ｂｐに配管を介して空気を供給するバブラーＢが接続されているものがある。ここで、バブラーＢと噴出部Ｂｐとの間の配管としては、噴出部Ｂｐ付近に接続される配管Ｐｂが浴槽底部よりも下側、つまり、床面Ｇよりも下側に位置する構造となっている。
【０００４】
【発明が解決しようとする課題】
従来の入浴装置において、浴槽内の湯を全て排出した場合でも、浴槽内の湯を濾過するフィルタ部分、あるいは、据え付け型の浴槽よりも下側、つまり、床面Ｇよりも下側に位置する配管Ｐｂ部分においては、湯が残留してしまうことが多く発生しやすい。このため、これらの部分において、雑菌が増殖しやすくなる可能性があり、この部分における消毒を充分おこないたいという要求があった。
【０００５】
また、入浴装置としての浴槽、配管等の消毒とともに、入浴用に使用する湯そのものの消毒をおこなうことが必要である。このため、塩素殺菌による消毒がおこなわれているが、このように、湯そのものの消毒においては、適性な塩素濃度を保つことが求められている。なぜならば、塩素濃度が高すぎると、塩素臭がして入浴時の快適性が低減してしまうとともに、また、入浴者の過敏な皮膚反応等がおきる可能性があり、好ましくなく、また、塩素濃度が低すぎると充分な消毒がおこなえないため好ましくないからである。
【０００６】
さらに、これら、入浴装置の消毒と湯の消毒とにおいては必要な塩素濃度が異なるが、これらを同一の装置でおこないたいという要求が存在している。
【０００７】
さらに、湯中の塩素濃度を維持するためにも、消毒を所定間隔でおこなうことが求められている。
ここで、介護を必要とする入浴者を入浴させる際には、朝食後の入浴時間および昼食後の入浴時間等を避けて湯の消毒あるいは浴槽の消毒をおこなうことが必要であるとともに、介護者の負担を低減するために、この消毒を自動でおこないたいという要求があった。また、昼間の要介護者の入浴時間に対して、夕食後の入浴時間にはこの浴槽を健常者が使用する等の一日のスケジュールが決められていた場合、このスケジュールに合わせて、かつ、入浴時間の合間をぬった時間に消毒をおこないたいという要求があった。
【０００８】
本発明は上記の事情に鑑みてなされたもので、入浴装置における湯残留する部分の配管等における雑菌の増殖を防止し、消毒をおこなう薬剤濃度を適性に設置可能であり、この消毒を入浴スケジュール等にあわせて事前に設定するとともにこれを自動的におこない、かつ、湯の消毒と浴槽（装置）の消毒とを同一の装置でおこなうことのできる入浴装置および消毒システムを提供することを目的とする。
【０００９】
【課題を解決するための手段】
本発明の請求項１による入浴装置は、浴槽と、該浴槽内に気泡を噴出可能とする気泡噴出装置と、前記浴槽内部，前記気泡噴出装置および／または前記浴槽中の湯の消毒をおこなうための薬剤を供給可能な薬剤供給装置と、前記浴槽に湯を供給する給湯装置と、前記浴槽内の湯の循環及び濾過をおこなう循環装置と、前記浴槽内の水位を測定する水位センサと、前記気泡噴出装置および前記薬剤供給装置を制御するとともに前記水位センサが測定した水位を基に前記給湯装置および前記循環装置を制御する制御装置と、を有する入浴装置であって、前記気泡噴出装置が、前記浴槽底部付近に設けられ該浴槽内に気泡を噴出する噴出部と、該噴出部に対して気体を送出するバブラーと、これら噴出部とバブラーとを連結する配管回路とを具備するものとされ、該配管回路において、前記浴槽中の湯が流通可能な位置に前記薬剤を供給可能な薬剤供給位置が設定され、該薬剤供給位置に前記薬剤供給装置が接続されて、前記制御装置は、前記気泡噴出装置を駆動させずに前記薬剤供給装置を駆動させて前記配管回路に前記薬剤を供給して該薬剤を所定時間滞留させ前記配管回路内を消毒する制御と、前記所定時間経過後に前記薬剤供給装置を停止させるとともに前記気泡噴出装置を駆動させ前記配管回路に供給された薬剤を前記浴槽へ押出して拡散させ前記浴槽内部および／または前記浴槽内の湯を消毒する制御とを行うことにより上記課題を解決した。
本発明の請求項２による入浴装置は、浴槽と、該浴槽内の湯の循環及び濾過をおこなう循環装置と、前記浴槽内部，前記循環装置および／または前記浴槽中の湯の消毒をおこなうための薬剤を供給可能な薬剤供給装置と、湯供給源に接続されて該湯供給源より供給される湯を前記浴槽へ供給する給湯回路と、を備えた入浴装置であって、前記循環装置は、前記浴槽内の湯を循環させる循環配管回路内に設けられて該循環配管回路内に前記浴槽内の湯を送出する水ポンプと、該水ポンプの後段に設けられて前記水ポンプから送られる前記浴槽内の湯を濾過するフィルタと、を備えており、前記循環配管回路の前記フィルタの前段に前記薬剤を供給可能な薬剤供給位置が設定され、該薬剤供給位置に前記薬剤供給装置が接続されて、前記循環配管回路には、前記フィルタの後段に、前記フィルタに濾過時とは逆向きに湯を流通して前記フィルタの洗浄をおこなう逆洗時に、前記給湯回路から給水給湯可能とする逆洗用給水給湯バルブが設けられているとともに、前記フィルタと前記薬剤供給位置との間に、前記逆洗時に洗浄水の排出が可能な逆洗用排出バルブが介装されていることにより上記課題を解決した。
本発明の請求項３による消毒システムにおいては、上記請求項１または２にかかる入浴装置を消毒する消毒システムであって、前記気泡噴出装置または前記循環装置、および、前記薬剤供給装置を制御可能な制御装置が、入浴者が入浴する前に前記浴槽中の湯の消毒をおこなう湯消毒機能と、入浴者が入浴した後に前記浴槽内部，前記気泡噴出装置または前記循環装置を消毒するための浴槽消毒機能と、を有し、前記湯消毒機能における前記薬剤供給量に比べて、前記浴槽消毒機能における前記薬剤供給量が多く設定されてなることにより上記課題を解決した。
【００１０】
本発明の入浴装置は、気泡噴出装置における浴槽底部付近に設けられ該浴槽内に気泡を噴出する噴出部と該噴出部に対して気体を送出するバブラーとを連結する配管回路において、前記浴槽中の湯が流通可能な位置に前記薬剤を供給可能として、前記薬剤供給装置が接続され、前記気泡噴出装置および前記薬剤供給装置を制御する制御装置は、前記気泡噴出装置を駆動させずに前記薬剤供給装置を駆動させて前記配管回路に前記薬剤を供給して該薬剤を所定時間滞留させ前記配管回路内を消毒する制御と、前記所定時間経過後に前記薬剤供給装置を停止させるとともに前記気泡噴出装置を駆動させ前記配管回路に供給された薬剤を前記浴槽へ押出して該浴槽内の湯に拡散させ前記浴槽内部および／または前記浴槽内の湯を消毒する制御とを行うことにより、気泡を噴出していないときに配管回路の薬剤供給位置に薬剤を供給して、その後バブラーによって気泡を噴出することで、配管回路内の湯ととともに薬剤を浴槽内に供給して浴槽内の湯を消毒するための湯消毒工程をおこなうことができる。また、同様に湯消毒工程における浴槽内よりも高濃度となるように薬剤を浴槽内に供給することにより、浴槽内部を消毒するための浴槽消毒工程をおこなうことができる。
このとき、浴槽内に気泡を噴出することによって、同時に、薬剤の供給された浴槽内の湯を攪拌して、浴槽内における濃度勾配を効率よく速やかに解消することができる。消毒殺菌用の薬剤としては、塩素系の消毒液等が適応される。
そして、前記制御装置は、前記気泡噴出装置を駆動させずに前記薬剤供給装置を駆動させて前記配管回路に前記薬剤を供給して該薬剤を所定時間滞留させ前記配管回路内を消毒する制御と、前記所定時間経過後に前記薬剤供給装置を停止させるとともに前記気泡噴出装置を駆動させ前記配管回路に供給された薬剤を前記浴槽へ押出して該浴槽内の湯に拡散させ前記浴槽内部および／または前記浴槽内の湯を消毒する制御とを行うことにより、配管回路およびその付近を薬剤濃度の濃い湯で消毒し、浴槽の湯の薬剤濃度を均一化させることができる。
【００１１】
また、配管回路内に薬剤を供給した状態でバブラー作動まで所定の時間放置することにより、配管回路内が薬剤濃度の高い状態で維持されるため、配管路内の消毒殺菌を充分するための浴槽消毒工程をおこなうことが可能となる。この状態では、浴槽内側には薬液濃度の高い湯が殆ど送出されないため、浴槽内の薬液濃度はそれほど上昇することがなく、重点的に配管路内の消毒をおこなうことができる。
【００１２】
本発明の入浴装置は、前記循環装置における前記循環配管回路の前記フィルタ前段に、前記薬剤供給装置が接続されて前記薬剤を供給可能な薬剤供給位置が設定されてなることで、循環配管回路に薬剤を供給して、浴槽内の湯を循環させることにより、循環配管回路内の湯とともに薬剤を浴槽内に供給して、浴槽内の湯を消毒するための湯消毒工程をおこなうことができる。また、同様に湯消毒工程よりも高濃度となるように薬剤を浴槽内に供給することにより、浴槽内部を消毒するための浴槽消毒工程をおこなうことができる。
このとき、気泡噴出装置を設けて浴槽内に気泡を噴出することにより、薬剤の供給された浴槽内の湯を攪拌して、浴槽内における薬剤濃度をより一層速やかに均一にして効率的に浴槽消毒をおこなうことができる。
【００１３】
また、薬剤供給装置から循環配管回路内に薬剤を供給し、この状態で湯を循環させることにより、循環配管回路内を薬剤濃度の高い湯が循環するため、循環配管回路内の消毒殺菌を充分するための浴槽（装置）消毒工程をおこなうことが可能となる。特に、フィルタ前段に薬剤供給位置が設定されていることにより、最も薬剤濃度の高い状態でフィルタを消毒殺菌することができ、重点的にフィルタの消毒をおこなうことが可能となる。
【００１４】
更に、前記循環配管回路には、前記フィルタの後段に、前記フィルタに濾過時とは逆向きに湯を流通して前記フィルタの洗浄をおこなう逆洗時に、前記給湯回路から給水給湯可能とする逆洗用給水給湯バルブが設けられているとともに、前記フィルタと前記薬剤供給位置との間に、前記逆洗時に洗浄水の排出が可能な逆洗用排出バルブが介装されていることによってフィルタに詰まった汚れを排出することができるとともに、フィルタでの菌の増殖抑制を図ることが可能となる。このとき、排出バルブが薬剤供給位置よりも後段に位置するため、逆洗時におけるフィルタからの洗浄水（汚水）が薬剤供給位置までくることがなく、配管回路内において汚水が必要以上に拡がることがないため、配管回路内における清浄度を維持することができる。
また、逆洗時に、給湯回路の湯（水）を使用することができるため、フィルタ内部において逆洗方向に汚れが残ることを防止することができる。
【００１５】
本発明の消毒システムにおいては、上記の入浴装置を消毒する消毒システムであって、前記気泡噴出装置または前記循環装置、および、前記薬剤供給装置を制御可能な制御装置が、入浴者が入浴する前に前記浴槽中の湯の消毒をおこなう湯消毒機能と、入浴者が入浴した後に前記浴槽内部，前記気泡噴出装置または前記循環装置を消毒するための浴槽消毒機能と、を有し、前記湯消毒機能における前記薬剤供給量に比べて、前記浴槽消毒機能における前記薬剤供給量が多く設定されてなることにより、同一の薬剤供給装置において供給する薬剤量を設定するだけで、湯消毒機能と浴槽消毒機能とを切り替えておこなうことができる。
【００１６】
そして、本発明の前記制御装置が、前記湯消毒機能を入浴時間の直前におこなうよう設定され、前記浴槽消毒機能を入浴時間の後におこなうよう設定されることにより、入浴装置を使用している入浴時間を避けて、所定の消毒をおこなうことが可能となる。例えば、午前中と午後とに設定されている入浴時間に対して、それらの入浴時間の間である昼食時間に対応して湯消毒をおこなうことが可能である。しかも、これらを制御装置によりタイマーセットすることにより、入浴スケジュールに会わせて、所定の時間に所定の消毒をおこなうように、自動設定とすることが可能である。
【００１７】
【発明の実施の形態】
以下、本発明の第１実施形態を図面に基づいて説明する。
［第１実施形態］
図１は本実施形態に係る入浴装置の模式断面図、図２は本実施解体における消毒システムの動作状態を示すタイムチャートである。
図において符号Ａは入浴装置、Ｇは床面である。
【００１８】
入浴装置Ａは、図１に示すように、床面Ｇに設けられて底部に排水孔２を有する浴槽Ａ１と、浴槽Ａ１に湯供給源Ｈから湯を供給する給湯装置４と、この浴槽Ａ１の底部付近から浴槽Ａ１内に、気泡を発生されるための気泡噴出装置と、この気泡噴出装置に薬剤を供給する薬剤供給装置と、これらの動作を制御するとともに消毒システムとしての制御をおこなう制御装置７とを備えている。
気泡噴出装置は、浴槽Ｂ１底部付近に配置されて気泡を噴出する細孔を有する噴出部Ｂｐと、この噴出部Ｂｐに空気等の気体を供給するバブラーＢと、これらバブラーＢと噴出部Ｂｐとを接続する配管（配管回路）とを有するものとされている。
【００１９】
気泡噴出装置の配管としては、図１に示すように、噴出部Ｂｐ付近に接続される配管Ｐｂ１が浴槽Ａ１底部よりも下側に位置されている。この配管Ｐｂには、浴槽Ａ１からバブラーＢ側へ湯の逆流防止部分として浴槽Ａ１中の湯面よりも高い位置になる配管Ｐｔ１が接続されている。さらに、この配管Ｐｔ１のバブラーＢ側に配管Ｐｂと同程度の高さに配置される配管Ｐｂ２が接続され、この配管Ｐｂ２には、浴槽Ａ１中の湯面よりも高い位置になるバブラーＢ側へ湯の逆流防止部分として配管Ｐｔ２が接続され、この配管Ｐｔ２のバブラーＢ側に配管Ｐｂと同程度の高さに配置されたＰｂ３がバブラーＢに接続されている。
【００２０】
薬剤供給装置は、図１に示すように、噴出部Ｂｐ付近の配管Ｐｂに薬剤を供給するためにこの配管Ｐｂから分岐する薬剤注入部Ｃ１と、この薬剤注入部Ｃ１に接続される薬剤ポンプＰｃと、薬剤ポンプＰｃにより送出される薬液を供給するために例えば塩素水とされる薬剤を貯溜する薬剤タンクＣｌとを有するものとされている。
薬剤タンクＣｌには、貯留されている薬剤の量が一定量以下になった場合に、制御装置７に信号を出力する薬剤レベルセンサが設けられている。
【００２１】
制御装置７は、給湯装置Ｈと、薬剤ポンプＰｃとバブラーＢとに接続されてこれらの動作を制御するものとされている。また、制御装置７は、薬剤タンクＣｌに接続され、薬剤レベルセンサからの信号で貯留されている薬剤の量が一定量以下になったことを表示する薬剤レベルランプ等の表示手段が設けられている。
【００２２】
以下、本実施形態の入浴装置Ａにおける制御装置の制御を図２に示すタイムチャートに基づいて説明する。
【００２３】
本実施形態の入浴装置Ａにおいては、初期状態においては、給湯装置４により浴槽Ａ１に湯が張られた状態とされている。また、あらかじめ制御装置７にタイマー設定をおこなうことにより、時刻ｔ0 から消毒タイマーが作動する。
すると、時刻ｔ0 に、制御装置７では、湯消毒工程が開始され、その制御により薬剤供給装置の薬剤ポンプＰｃが作動して、薬剤タンクＣｌから薬剤注入部Ｃ１に薬剤の供給を開始する。すると、配管Ｐｂ付近に薬剤濃度の濃い湯が停留した状態となる。
【００２４】
時刻ｔ1 には、制御装置７が薬剤ポンプＰｃを停止して薬剤注入を終了する。この時刻ｔ0 から時刻ｔ1 までの長さにより、湯消毒工程における注入薬剤の量が設定される。次いで、時刻ｔ1 に、気泡噴出装置のバブラーＢを作動させて気体を供給する。この気体は、配管Ｐｂ３，Ｐｔ２，Ｐｂ２，Ｐｂ１を流通するとともに、配管Ｐｂに停留していた薬剤の混入した湯を噴出部Ｂｐを介して浴槽Ａ１に押出する。さらに、気体は気泡となって噴出部Ｂｐから噴出される。この気泡により、浴槽Ａ１中に供給された薬剤は攪拌され、浴槽Ａ１における薬剤濃度勾配を低減して、薬剤濃度が均一化されることになる。
【００２５】
時刻ｔ2 にはバブラーＢの動作が停止され、さらに所定の時間をあけてもう一度バブラーＢが作動されて、さらなる薬剤の攪拌をおこなう。時刻ｔ3 には、２度目のバブラーＢの動作が停止され、湯消毒工程が終了する。
湯消毒工程の後には、入浴時間が設定される。
【００２６】
入浴時間が終了した後、時刻ｔ4 に、制御装置７では浴槽消毒の工程が開始される。制御装置７の制御により薬剤供給装置の薬剤ポンプＰｃが作動して、薬剤タンクＣｌから薬剤注入部Ｃ１に薬剤の供給を開始する。すると、配管Ｐｂ付近に薬剤濃度の濃い湯が停留した状態となり、さらに薬剤を供給することにより、噴出部Ｂｐおよび噴出部Ｂｐ付近の浴槽Ａ１内部にまで薬剤濃度の高い湯が停留したような状態となる。つまり、配管Ｐｂ内に薬剤を供給した状態で所定の時間放置する状態となっている。
【００２７】
時刻ｔ6 には、制御装置７が薬剤ポンプＰｃを停止して薬剤注入を終了する。この時刻ｔ4 から時刻ｔ6 までの長さにより、浴槽消毒工程における注入薬剤の量が設定される。浴槽消毒工程において供給される薬剤の量は、湯消毒工程において供給される薬剤の量よりも多く設定される。このため、原液に近い高濃度の薬剤液により、配管Ｐｂ，噴出部Ｂｐ等の内表面が消毒されることになる。
【００２８】
この薬剤ポンプＰｃの動作中、時刻ｔ5 に、薬剤タンクＣｌ内の薬剤量が所定の値以下になった場合には、薬剤タンクＣｌの薬剤レベルセンサが制御装置７に信号を出力し、この薬剤レベルセンサからの信号で制御装置７は、貯留されている薬剤の量が一定量以下になったことを表示するために薬剤レベルランプを点灯させる。この薬剤レベルランプは薬剤を補給して貯留している薬剤レベルが一定量以上になった場合に消灯される。
【００２９】
次いで、時刻ｔ6 に、バブラーＢを作動させて気体を供給する。この気体により湯消毒工程と同様に、配管Ｐｂに停留していた薬剤の混入した湯が噴出部Ｂｐから浴槽Ａ１に噴出され、さらに、噴出部Ｂｐから気泡が噴出される。この気泡により、浴槽Ａ１中に供給された高濃度の薬剤が攪拌され、浴槽Ａ１における薬剤濃度勾配が低減して、薬剤濃度が均一化されることになる。
【００３０】
時刻ｔ7 にはバブラーＢの動作が停止され、さらに時間をあけてもう一度バブラーＢが作動されて、薬剤の一層の攪拌をおこなう。時刻ｔ8 にはバブラーＢの動作が停止され、この間、湯消毒工程よりも高濃度の薬剤液により、浴槽Ａ１内部が消毒されることになる。時刻ｔ9 には、制御装置７のタイマーが切れて、浴槽消毒工程が終了する。
【００３１】
本実施形態の入浴装置Ａによれば、浴槽Ａ１底部付近に設けられた噴出部Ｂｐ付近で気泡を噴出していないときに浴槽Ａ１中の湯が流通可能な配管Ｐｂに、塩素系薬液等の薬剤を供給可能として、薬剤供給装置が接続されてなることにより、気泡を噴出していない配管Ｐｂに薬剤を供給して、その後バブラーＢによって気泡を噴出することで、配管Ｐｂの湯ととともに薬剤を浴槽Ａ１内に供給して浴槽Ａ１内の湯を消毒するための湯消毒工程をおこなうことができる。また、同様に湯消毒工程よりも長時間同濃度の薬剤を浴槽内に供給することにより、浴槽Ａ１内部に湯消毒工程よりも高濃度の薬液を供給して、浴槽Ａ１内部を消毒するための浴槽消毒工程をおこなうことができる。
このとき、バブラーＢを作動して浴槽内Ａ１に気泡を噴出することによって、薬剤の供給された浴槽Ａ１内の湯を攪拌して、浴槽Ａ１内における薬剤濃度勾配を効率よく速やかに解消することができる。
【００３２】
また、配管Ｐｂに消毒用の薬剤を供給する薬剤注入部Ｃ１を接続したことにより、配管Ｐｂが浴槽Ｂ１底部よりも下側に配置されており、浴槽Ａ１内の排水をおこなった場合に湯が残留してしまう可能性のある場合でも、配管Ｂｐを高濃度の薬剤により消毒可能となっているので、配管Ｐｂ内を消毒してその清浄度が低減しないようにすることができる。
【００３３】
また、配管Ｐｂ内に薬剤を供給した状態でバブラーＢ作動まで所定の時間放置するのと同等の状態とすることができ、これにより、配管Ｐｂ内が薬液濃度の高い状態で維持されるため、浴槽消毒工程において、配管Ｐｂおよび噴出部Ｂｐ内部の消毒殺菌を重点的におこなうことが可能となる。
【００３４】
また、本実施形態の消毒システムにおいては、湯消毒工程（湯消毒機能）における前記薬剤供給量に比べて、浴槽消毒工程（浴槽消毒機能）における前記薬剤供給量が多く設定されてなることにより、同一の薬剤供給装置において供給する薬剤量を設定するだけで、湯消毒機能と浴槽消毒機能とを切り替えておこなうことができる。
本実施形態の前記制御装置７が、前記湯消毒工程を入浴時間の直前におこなうよう設定可能とされ、浴槽消毒工程を入浴時間の後におこなうよう設定可能とされてなることにより、入浴装置Ａを使用している入浴時間を避けて、所定の消毒をおこなうことが可能となる。例えば、午前中と午後とに設定されている入浴時間に対して、それらの入浴時間の間である昼食時間に対応して湯消毒をおこなうことが可能である。しかも、これらを制御装置７によりタイマーとしてセットすることにより、所定の時間に所定の消毒をおこなうように、自動設定することができ、例えば入浴時の介護をする介護者、あるいは、入浴管理者の負担を低減することができる。
【００３５】
以下、本発明の第２実施形態を図面に基づいて説明する。
［第２実施形態］
図３は本実施形態に係る入浴装置の模式図、図４は本実施形態の消毒システムの動作状態を示すタイムチャートである。
図において符号１は入浴装置、Ｂはバブラーである。なお、前述の第１実施形態の構成要素に対応する構成要素には同一の符号を付けその説明を省略する。
【００３６】
本実施形態の入浴装置１は、底面に排水口２（排水手段）が設けられる浴槽３と、湯沸器等の湯供給源Ｈに接続されて湯供給源Ｈより供給される湯を浴槽３内に供給する給湯回路４と、浴槽３内の湯の循環及び濾過を行う循環装置５と、浴槽３内の水位を測定する水位センサ６ａ、６ｂ（検出器）と、水位センサ６ａ、６ｂの出力に基づいて給湯回路４及び循環装置５の動作を制御する制御装置７と、薬剤供給装置と、第１実施形態における気泡噴出装置に対応する構成とを備えている。
【００３７】
浴槽３は、その底面に栓により閉塞される排水口２が設けられており、浴槽３の上部には、浴槽３内の所定量以上の湯を排出するオーバーフローＯＦが設けられている。また、浴槽３は、その底部に、床面Ｇに対して略垂直に立設される支柱８が水密を確保された状態で貫通されており、この状態で昇降装置（図示せず）によって支柱８に沿って上下へ移動されるものである。支柱８の上部には、入浴者（図示せず）が載置される担架９が着脱自在に取り付けられ、浴槽３が支柱８に沿って上下することで支柱８の上部に固定される担架９を浴槽３内に収容、搬出する構成とされている。また、支柱８の上面には、担架９が浴槽３内に搬入されて支柱８に固定されたことを検知して、制御装置７に信号を送るリミットスイッチ等の入浴者検知センサ（図示せず）が設けられている。ここで、担架９には、肩掛け湯配管回路１５（後述）の一部を構成する部材であって、同じく肩掛け湯配管回路１５の一部を構成するジョイント（図示せず）を介して肩掛け湯配管回路１５の浴槽３内側の配管部分に着脱自在に接続されるシャワー部Ｓが設けられている。
【００３８】
給湯回路４は、一端を水と湯とを混合可能として供給する湯供給源Ｈに接続されて他端が浴槽３の上方に配される給湯路４ａと、給湯路４ａ内に設けられて、制御装置７によって開閉を制御されるボールバルブ４ｂと、後述の逆洗バルブ（逆洗用給水給湯バルブ）Ｖｆに接続される自動給湯バルブＶｅとによって構成されている。
【００３９】
循環装置５は、浴槽３内の湯を循環させる循環配管回路１１と、循環配管回路１１に設けられて循環配管回路１１内に浴槽３内の湯を送出する水ポンプ１２を備えている。循環配管回路１１は、一端が浴槽３の側壁の下方に接続されて浴槽３内の湯取入口１１ａを形成し、他端側が水ポンプ１２の後段から分岐されて、フィルタ１３が配される濾過配管回路１４と、浴槽３内の入浴者に浴槽３内の湯をかけるための肩掛け湯配管回路１５とを形成するものである。濾過配管回路１４は、フィルタ１３の前段に、制御装置７によって開閉を操作される自動弁１６と、薬剤注入部Ｃ２と、外部に排水可能な排水バルブ（逆洗用排出バルブ）Ｖｄとが設けられるものであって、フィルタ１３の後段には、浴槽３の上方に配管されて、フィルタ１３によって濾過された湯を再び浴槽３内に戻す濾過配管回路本管１４ａが設けられている。また、濾過配管回路本管１４ａには、フィルタ１３の逆洗時に給湯回路４から給水給湯可能とする逆洗バルブ（逆洗用給水給湯バルブ）Ｖｆが設けられている。
【００４０】
肩掛け湯配管回路１５は、支柱８を通じて浴槽３内に配管されるものであって、その浴槽３内側の配管部分には、浴槽３内の支柱８に担架９が固定されることで、担架９のシャワー部Ｓと浴槽３内側の配管部分とを接続するジョイント（図示せず）の、浴槽３内側の配管部分側に設けられかつこの接続によってその閉塞を開放される開閉操作機構（図示せず）付きの逆止弁１９が設けられている。
【００４１】
また、浴槽３の側壁の下方には、水位センサ６ａ、６ｂが接続されている。これは、センサ配管１７に分岐接続されて浴槽３内の水位を測定するフロート式のセンサであり、水位センサ６ｂは浴槽３内の水位が所定の上限位置以上になった時点で、水位センサ６ａは浴槽３内の水位が所定の下限位置以上または以下になった時点でそれを検知して制御装置７に信号を送るものである。ここでいう所定の上限位置とは、浴槽３のオーバーフローＯＦ近傍を指し、下限値とは、浴槽３内で循環配管回路１１の湯取入口１１ａが空中に露出されない程度の位置、すなわち湯取入口１１ａの直上の位置を指している。
【００４２】
制御装置７は、水位センサ６ｂの出力に基づいて給湯回路４のボールバルブ４ｂの開閉を制御して浴槽３内に自動的に給湯をおこない、これと並行して、水位センサ６ａの出力に基づいて水ポンプ１２の動作の制御を行い、また入浴者検知センサより送られる信号を受けたことを条件として自動弁１６の切り替えを行うものである。また、制御装置７は、薬剤ポンプＰｃの動作および、排水バルブＶｄ，逆洗バルブＶｆ，自動給湯バルブＶｅの切り替えも操作するものである。
制御装置７においては、入浴時間に所定の薬剤濃度に設定可能なように、高濃度になることを防止する機能と、一日一回のように設定され薬剤濃度が低下しないようにする機能とを有するものとされる。
【００４３】
薬剤供給装置は、図３に示すように、フィルタ１３の前段の濾過配管回路１４に薬剤を供給するためにこの濾過配管回路１４から分岐する薬剤注入部Ｃ２と、噴出部Ｂｐ付近の配管Ｐｂに薬剤を供給するためにこの配管Ｐｂから分岐する薬剤注入部Ｃ１と、これらの薬剤注入部Ｃ１，Ｃ２に薬剤供給切替弁Ｖｃを介して接続される薬剤ポンプＰｃと、薬剤ポンプＰｃに供給するための例えば塩素水とされる薬剤を貯溜する薬剤タンクＣｌとを有するものとされている。
薬剤タンクＣｌには、貯留されている薬剤の量が一定量以下になった場合に、制御装置７に信号を出力する薬剤レベルセンサが設けられている。
【００４４】
次に、上記のように構成される入浴装置１における入浴時の動作について説明する。
【００４５】
図５は本実施形態における入浴装置の入浴時における動作状態を示す配管図である。
ここで、初期状態では、浴槽３内には湯が貯められておらず、また浴槽３内には担架９も搬入されておらず、排水口２，ボールバルブ４ｂおよび逆止弁１９は閉、自動弁１６は水ポンプ１２から濾過配管回路１４側、排水バルブＶｄはＯＦＦである薬剤注入部Ｃ２からフィルタ１３側、逆洗バルブＶｆはＯＦＦであるフィルタ１３から浴槽３側、自動給湯バルブＶｅは閉、水ポンプ１２は停止状態にあるものとする。
【００４６】
まず、制御装置７を操作することで給湯回路４のボールバルブ４ｂを開き、給湯源Ｈから給湯路４ａを通じて浴槽３内に湯を供給する。そして、浴槽３内の水位が所定の下限値、すなわち浴槽３内で循環装置５を構成する循環配管回路１１の湯取入口１１ａが空中に露出されない程度の位置まで達したことを水位センサ６ａが検知して制御装置７に信号を送り、これに基づいて制御装置７が循環配管回路１１の水ポンプ１２を動作させ、水ポンプ１２によって循環配管回路１１の湯取入口１１ａを通じて循環配管回路１１内に浴槽３内の湯を送出する。
【００４７】
この循環装置５において、濾過配管回路１４と肩掛け湯配管回路１５とは水ポンプ１２の後段の自動弁１６によって並列に切り替え可能に接続されており、自動弁１６は水ポンプ１２から濾過配管回路１４側になっている場合には、通常は水ポンプ１２によって送られる浴槽３内の湯が濾過配管回路１４に流入されるようになっており、濾過配管回路１４のフィルタ１３による浴槽３内の湯の濾過が行われる。また、濾過配管回路１４に比べて肩掛け湯配管回路１５の方が湯の流通に対する抵抗が大きく設定されており、また肩掛け湯配管回路１５の逆止弁１９は、浴槽３内に担架９が固定されていない場合には常時閉じられている。
【００４８】
そして、浴槽３内の水位が所定の上限値、すなわち浴槽３のオーバーフローＯＦ近傍まで達したことを水位センサ６ｂが検知して制御装置７に信号を送り、これに基づいて制御装置７が給湯回路４のボールバルブ４ｂを閉じ、給湯源Ｈからの浴槽３内への湯の供給を停止する。
【００４９】
次に、この状態で入浴者が載置される担架９を浴槽３内に搬入して浴槽３内の支柱８の上部に固定する。そして、昇降装置（図示せず）により浴槽３を支柱８の上方に移動させて担架９を浴槽３内に収容し、担架９ごと入浴者を入浴させる。このとき、支柱８の上部に担架９が固定されることで、支柱８の上部に設けられた入浴者センサが押圧操作されて、入浴者センサが浴槽３内の支柱８に担架９が固定されたことを制御装置７に信号として送る。また、これと並行して、肩掛け湯配管回路１５を構成する担架９のシャワー部Ｓが、ジョイントを介して肩掛け湯配管回路１５の浴槽３内側の配管部分に接続されるとともに、開閉操作機構によって肩掛け湯配管回路１５の逆止弁１９の閉塞が開放される。
【００５０】
そして、入浴者センサから信号を受けることで制御装置７による自動弁１６の水ポンプ１２ー濾過配管回路１４側から水ポンプ１２−肩掛け湯配管回路１５への切り替えが可能となるので、使用者が制御装置７を操作して自動弁１６の切り替えをおこなって濾過配管回路１４を閉じる。すなわち、支柱８の上部に担架９が固定されることによって逆止弁１９の閉塞が開放された後に自動弁１６の閉塞がおこなわれる。これによって水ポンプ１２により送出される浴槽３内の湯を肩掛け湯配管回路１５内に送出して肩掛け湯配管回路１５のシャワー部Ｓから噴出させ、使用者がシャワー部Ｓから噴出される浴槽３内の湯を浴槽３内の入浴者へ掛ける。その後、使用者が制御装置７を操作して濾過配管回路１４の自動弁１６を切り替え、これによって水ポンプ１２から送出される浴槽３内の湯を濾過配管回路１４内に送出し、フィルタ１３による浴槽３内の湯の濾過を行う。
【００５１】
そして、入浴者の入浴を終了させる際には、浴槽３を昇降装置（図示せず）によって支柱８の上方に移動させることで担架９を浴槽３内から搬出させた後、担架９を支柱８から取り外して、入浴者を担架９ごと浴槽３内から搬出する。
【００５２】
図６は本実施形態における消毒システムの湯消毒工程における動作状態を示す配管図である。
本実施形態の入浴装置１においては、あらかじめ制御装置７にタイマー設定をおこなうことにより、図４に示すように、時刻ｔ10から消毒タイマーが作動する。このとき、湯循環用の水ポンプ１２は作動状態となる。
すると、時刻ｔ10に、制御装置７では、図６に示すように、湯消毒工程が開始され、その制御により薬剤供給装置の薬剤ポンプＰｃが作動して、薬剤タンクＣｌから薬剤注入部Ｃ２に薬剤の供給を開始する。すると、注入された薬剤は、濾過配管回路１４、フィルタ１３、逆洗バルブＶｆ、濾過配管回路本管１４ａを流通し浴槽３に供給される。薬剤ポンプＰｃを作動している間つまり薬剤を供給している間は濾過配管回路１４、フィルタ１３、逆洗バルブＶｆ、濾過配管回路本管１４ａには常に薬剤濃度の濃い湯が流通している状態となる。
【００５３】
時刻ｔ11には、制御装置７が薬剤ポンプＰｃを停止して薬剤注入を終了する。この時刻ｔ10から時刻ｔ11までの長さにより、湯消毒工程における注入薬剤の量が設定される。次いで、時刻ｔ11に、気泡噴出装置のバブラーＢを作動させて気体を供給する。この気体は、配管Ｐｂ３，Ｐｔ２，Ｐｂ２，Ｐｂ１を流通するとともに、さらに、気泡となって噴出部Ｂｐから噴出される。この気泡により、浴槽３中に供給された薬剤は攪拌され、浴槽３における薬剤濃度勾配が低減され、薬剤濃度が均一化されて浴槽３中における湯の消毒をおこなうことになる。
【００５４】
時刻ｔ12にはバブラーＢの動作が停止され、さらに時間をあけてもう一度バブラーＢが作動されて、薬剤の一層の攪拌をおこなう。時刻ｔ13にはバブラーＢの動作が停止され、湯消毒工程が終了する。
湯消毒工程の後には、前述したように入浴時間が設定される。
【００５５】
入浴時間が終了した後、時刻ｔ14に、制御装置７では浴槽消毒の工程が開始される。制御装置７の制御により薬剤供給装置の薬剤ポンプＰｃが作動して、薬剤タンクＣｌから薬剤注入部Ｃ２に薬剤の供給を開始する。すると、濾過配管回路１４、フィルタ１３、逆洗バルブＶｆ、濾過配管回路本管１４ａ付近に薬剤濃度の高い湯が常駐した状態となるとともに、浴槽３にはより多量の薬剤が供給されて、浴槽３内部が湯消毒工程よりも高濃度の薬剤により消毒される。さらに薬剤を供給し続けることにより、濾過配管回路１４、フィルタ１３、逆洗バルブＶｆ、濾過配管回路本管１４ａに薬剤を供給した状態で所定の時間放置したように高濃度の薬液がある状態となっている。
【００５６】
時刻ｔ16には、制御装置７が薬剤ポンプＰｃを停止して薬剤注入を終了する。この時刻ｔ14から時刻ｔ16までの長さにより、浴槽消毒工程における注入薬剤の量が設定される。浴槽消毒工程において供給される薬剤の量は、湯消毒工程において供給される薬剤の量よりも多く設定される。このため、高濃度の薬剤液により、濾過配管回路１４、フィルタ１３、逆洗バルブＶｆ、濾過配管回路本管１４ａ等の内装置が消毒されることになる。
この薬剤ポンプＰｃの動作中時刻ｔ15に、薬剤タンクＣｌ内の薬剤量が所定の値以下になった場合には、薬剤タンクＣｌの薬剤レベルセンサが制御装置７に信号を出力し、この薬剤レベルセンサからの信号で制御装置７は、時刻ｔ15に、貯留されている薬剤の量が一定量以下になったことを表示するために薬剤レベルランプを点灯させる。
【００５７】
次いで、時刻ｔ16に、バブラーＢを作動させて気体を供給する。この気体により湯消毒工程と同様に噴出部Ｂｐから気泡が噴出される。この気泡により、浴槽３中に供給された薬剤は攪拌され、浴槽３における薬剤濃度勾配がなくなり、薬剤濃度が均一化されることになる。
時刻17にはバブラーＢの動作が停止され、さらに時間をあけてもう一度バブラーＢが作動されて、浴槽３中の薬剤の攪拌をおこなう。時刻ｔ18にはバブラーＢの動作が停止され、この間、湯消毒工程よりも高濃度の薬剤液により、浴槽Ａ１内部が消毒されることになる。
例えば、時刻ｔ19に、薬剤タンクＣｌに薬剤を補充することで、薬剤タンクＣｌ内の薬剤量が所定の値以上になった場合には、薬剤タンクＣｌの薬剤レベルセンサが制御装置７に信号を出力し、この薬剤レベルセンサからの信号で制御装置７は、時刻ｔ15に、貯留されている薬剤の量が一定量以上になったことを表示するために薬剤レベルランプを消灯させる。
【００５８】
次いで、時刻ｔ20に、フィルタ洗浄工程をおこなう。
図７は本実施形態における消毒システムのフィルタ洗浄工程における動作状態を示す配管図である。
この時刻ｔ20に、循環ポンプである水ポンプ１２を停止するとともに、排水バルブＶｄはＯＮであるフィルタ１３から外部排水側、ボールバルブ４ｂは閉、逆洗バルブＶｆはＯＮであるフィルタ１３から自動給湯バルブＶｅ側、自動給湯バルブＶｅはＯＮである湯供給源Ｈから逆洗バルブＶｆ側、に切り替えられられる。同時に、制御装置７により給湯源Ｈから湯を供給する。これによって給湯源Ｈ水から送出される湯を自動給湯バルブＶｅ、逆洗バルブＶｆを介して濾過配管回路１４内に送出し、フィルタ１３にたまった汚物を逆洗して、排水バルブＶｄから排出する。
このとき、時刻ｔ20に、制御装置７の制御により薬剤供給装置の薬剤ポンプＰｃが作動して、薬剤タンクＣｌから薬剤注入部Ｃ２に薬剤の供給を開始する。すると、濾過配管回路１４、フィルタ１３付近に薬剤濃度の高い湯が常駐した状態となり、さらに薬剤を供給し続けることにより、濾過配管回路１４、フィルタ１３に薬剤を供給した状態で所定の時間放置した状態となっている。
【００５９】
次いで、時刻ｔ21に、薬剤ポンプＰｃを停止して薬剤注入を終了するとともに、給湯源Ｈからの湯の供給を停止する。同時に、逆洗バルブＶｆはフィルタ１３から浴槽３側、自動給湯バルブＶｅは閉、に切り替えるとともに、逆洗バルブＶｆはフィルタ１３から自動給湯バルブＶｅ側、に維持して浴槽３内の排水をおこなう。
最後に、時刻ｔ22には、制御装置７のタイマーが切になり、フィルタ洗浄工程および、浴槽消毒工程が終了する。
【００６０】
本発明の入浴装置１は、前記循環装置５における前記循環配管回路１４の前記フィルタ１３前段に、前記薬剤供給装置Ｃｌ，Ｐｃ，Ｃ２が接続されて前記薬剤を供給可能な薬剤供給位置が設定されてなることにより、濾過配管回路１４に薬剤を供給して、浴槽３内の湯を循環させることにより、濾過配管回路１４内の湯とともに薬剤を浴槽内に供給して、浴槽３内の湯を消毒するための湯消毒工程をおこなうことができる。また、同様に湯消毒工程よりも高濃度の薬剤を浴槽内に供給することにより、浴槽３内部を消毒するための浴槽消毒工程をおこなうことができる。
【００６１】
特に、供給する薬剤の量を任意の量に設定することが可能なため、浴槽３中の薬剤濃度を所定の状態に維持することが可能である。これにより、例えば、浴槽水の消毒に用いる塩素系薬剤の濃度は、遊離残留塩素濃度を１日に２時間以上０．２〜０．４ｍｇ／Ｌに保つという衛生管理基準や水質基準といった基準を容易に実現することができる。しかも、薬剤濃度を浴槽３内においてほぼ均一な状態としてこれらを実現することができるので、局所的に高濃度の部分ができて、入浴者に影響を与えたりすることが防止できる。
このとき、浴槽３内に気泡を噴出することによって、同時に、薬剤の供給された浴槽３内の湯を攪拌して、浴槽３内における薬剤濃度を速やかに均一にすることができる。
【００６２】
また、薬剤供給装置Ｃｌ，Ｐｃ，Ｃ２から濾過配管回路１４内に薬剤を供給し、この状態で湯を循環させることにより、循環配管回路１１内を薬剤濃度の高い湯が循環するため、循環配管回路１１内の消毒殺菌を充分するための浴槽消毒工程をおこなうことが可能となる。特に、フィルタ１３前段に薬剤供給位置としての薬剤注入部Ｃ２が設定されていることにより、最も薬剤濃度の高い状態でフィルタ１３を消毒殺菌することができ、重点的に濾過配管回路１４、フィルタ１３、逆洗バルブＶｆ、濾過配管回路本管１４ａの消毒をおこなうことが可能となる。
【００６３】
本実施形態の循環配管回路１１には、前記フィルタ１３と前記薬剤供給位置である薬剤注入部Ｃ２との間に、前記フィルタ１３に濾過時とは逆向きに湯を流通して前記フィルタ１３の洗浄をおこなう際に洗浄水の排出が可能な逆洗弁としての排出バルブＶｄが介装されてなり、同時に、フィルタ１３の後段に自動給湯バルブＶｅ，逆洗バルブＶｆが改装されてなることで、任意の時点で湯循環時とは逆方向に湯をフィルタ１３に流通することができる。これにより、フィルタ１３に詰まった汚れを排出することができるとともに、フィルタ１３での菌の増殖抑制を図ることが可能となる。このとき、逆洗弁Ｖｆ，Ｖｄ，Ｖｅが、循環時における薬剤供給位置Ｃ２よりも後段に位置するため、逆洗時におけるフィルタ１３からの洗浄水が薬剤供給位置Ｃ２まで到達することがなく、循環配管回路１１内において汚水が必要以上に拡がることがないため、循環配管回路１１内における清浄度を維持することができる。
【００６４】
さらに上記のような湯消毒工程、フィルタ消毒工程を含む浴槽消毒工程を１日一回程度設定して自動で実行することができるため、障害者等、要介護者の介護をする際における負担の軽減を図ることができる。
【００６５】
なお、上記の湯消毒工程において、切替弁Ｖｃを切り替えて、第１実施形態のように、気泡噴出装置側に薬剤を供給することもできる。そして、気泡噴出装置を設けないこともでき、この場合、循環配管回路４により浴槽３内部の湯を攪拌して同等の効果を得ることも可能である。
また、浴槽３は、支柱８に沿って上下へ移動されるものでなく、据え付け型のものとして適応することもできる。
【００６６】
また、本実施形態の消毒システムにおいては、湯消毒工程（湯消毒機能）における前記薬剤供給量に比べて、浴槽消毒工程（浴槽消毒機能）における前記薬剤供給量が多く設定されてなることにより、同一の薬剤供給装置において供給する薬剤量を設定するだけで、湯消毒機能と浴槽消毒機能とを切り替えておこなうことができる。
本実施形態の前記制御装置７が、前記湯消毒工程を入浴時間の直前におこなうよう設定可能とされ、浴槽消毒工程を入浴時間の後におこなうよう設定可能とされてなることにより、入浴装置１を使用している入浴時間を避けて、所定の消毒をおこなうことが可能となる。例えば、午前中と午後とに設定されている入浴時間に対して、それらの入浴時間の間である昼食時間に対応して湯消毒をおこなうことが可能である。しかも、これらを制御部によりタイマーセットすることにより、所定の時間に所定の消毒をおこなうように、自動設定することが可能である。
【００６７】
【発明の効果】
本発明の入浴装置によれば、気泡噴出装置における浴槽底部付近に設けられ該浴槽内に気泡を噴出する気泡噴出部と該気泡噴出部に対して気体を送出するバブラーとを連結する配管回路において、前記薬剤を供給可能として、前記薬剤供給装置が接続され、前記気泡噴出装置および前記薬剤供給装置を制御する制御装置は、前記気泡噴出装置を駆動させずに前記薬剤供給装置を駆動させて前記配管回路に前記薬剤を供給して該薬剤を所定時間滞留させ前記配管回路内を消毒する制御と、前記所定時間経過後に前記薬剤供給装置を停止させるとともに前記気泡噴出装置を駆動させ前記配管回路に供給された薬剤を前記浴槽へ押出して該浴槽内の湯に拡散させ前記浴槽内部および／または前記浴槽内の湯を消毒する制御とを行うことで、配管内の湯ととともに薬剤を浴槽内に供給して浴槽内の湯を消毒するための湯消毒工程をおこなうことができる。また、同様に湯消毒工程よりも高濃度の薬剤を浴槽内に供給することにより、浴槽内部を消毒するための浴槽消毒工程をおこなうことができる。
【００６８】
本発明の入浴装置は、前記循環装置における前記循環配管回路の前記フィルタ前段に、前記薬剤供給装置が接続されて前記薬剤を供給可能な薬剤供給位置が設定されてなることにより、循環配管回路に薬剤を供給して、浴槽内の湯を循環させることにより、循環配管回路内の湯とともに薬剤を浴槽内に供給して、浴槽内の湯を消毒するための湯消毒工程をおこなうことができる。また、同様に湯消毒工程よりも高濃度の薬剤を浴槽内に供給することにより、浴槽内部を消毒するための浴槽消毒工程をおこなうことができる。
このとき、浴槽内に気泡を噴出することによって、同時に、薬剤の供給された浴槽内の湯を攪拌して、浴槽内における薬剤濃度を速やかに均一にすることができる。
更に、前記循環配管回路には、前記フィルタの後段に、前記フィルタに濾過時とは逆向きに湯を流通して前記フィルタの洗浄をおこなう逆洗時に、前記給湯回路から給水給湯可能とする逆洗用給水給湯バルブが設けられているとともに、前記フィルタと前記薬剤供給位置との間に、前記逆洗時に洗浄水の排出が可能な逆洗用排出バルブが介装されていることによってフィルタに詰まった汚れを排出することができるとともに、フィルタでの菌の増殖抑制を図ることが可能となる。このとき、排出バルブが薬剤供給位置よりも後段に位置するため、逆洗時におけるフィルタからの洗浄水（汚水）が薬剤供給位置までくることがなく、配管回路内において汚水が必要以上に拡がることがないため、配管回路内における清浄度を維持することができる。
また、逆洗時に、給湯回路の湯（水）を使用することができるため、フィルタ内部において逆洗方向に汚れが残ることを防止することができる。
【００６９】
本発明の消毒システムにおいては、上記の入浴装置を消毒する消毒システムであって、前記気泡噴出装置または前記循環装置、および、前記薬剤供給装置を制御可能な制御部が、入浴者が入浴する前に前記浴槽中の湯の消毒をおこなう湯消毒機能と、入浴者が入浴した後に前記浴槽内部，前記気泡噴出装置または前記循環装置を消毒するための浴槽消毒機能と、を有し、前記湯消毒機能における前記薬剤供給量に比べて、前記浴槽消毒機能における前記薬剤供給量が多く設定されてなることにより、同一の薬剤供給装置において供給する薬剤量を設定するだけで、湯消毒機能と浴槽消毒機能とを切り替えておこなうことができる。
【図面の簡単な説明】
【図１】   本発明の入浴装置における第１実施形態を示す平面図である。
【図２】   本発明の入浴装置における第１実施形態の消毒システムの動作状態を示すタイムチャートである。
【図３】   本発明の入浴装置における第２実施形態を示す平面図である。
【図４】   本発明の入浴装置における第２実施形態の消毒システムの動作状態を示すタイムチャートである。
【図５】   本発明の入浴装置における第２実施形態における入浴装置の入浴時における動作状態を示す配管図である。
【図６】   本発明の入浴装置における第２実施形態における消毒システムの湯消毒工程における動作状態を示す配管図である。
【図７】   本発明の第２実施形態における消毒システムのフィルタ洗浄工程における動作状態を示す配管図である。
【図８】   従来の入浴装置を示す図である。
【符号の説明】
１，Ａ…入浴装置
２…排水孔
３，Ａ１…浴槽
４…給湯回路
５…循環装置
７…制御装置
１１…循環配管回路
１２…水ポンプ
１３…フィルタ
１４…濾過配管回路
１５…肩掛け湯配管回路
１６…自動弁
１９…逆止弁
Ｖｆ…逆洗バルブ
Ｖｅ…自動給湯バルブ
Ｖｄ…排出バルブ
Ｃｌ…薬剤タンク
Ｃ１，Ｃ２…薬剤注入部
Ｂ…バブラー
Ｈ…湯供給源
Ｐｃ…薬剤供給ポンプ
Ｐｂ，Ｐｔ１，Ｐｂ２，Ｐｔ２，Ｐｂ３…配管
Ｇ…床面
【図１】
0004707896.tif 000002
【図２】
0004707896.tif 000003
【図３】
0004707896.tif 000004
【図４】
0004707896.tif 000005
【図５】
0004707896.tif 000006
【図６】
0004707896.tif 000007
【図７】
0004707896.tif 000008
【図８】
0004707896.tif 000009